【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
データ処理装置において、
受信パケットに含まれるアドレス情報に基づいて、前記データ処理装置に対するアクセス制限を行なう制限手段と、
所定のプロトコルに従った受信パケットを識別する識別手段と、
前記識別手段による識別に応じて、受信パケットの送信元のアドレス情報を記憶する記憶手段と、
前記記憶手段に記憶されたアドレス情報を、前記制限手段によりアクセス制限を行なう際に参照するアドレス情報として設定する設定手段と、
を有することを特徴とするデータ処理装置。
【請求項２】
請求項１において、
前記識別手段により前記所定のプロトコルに従ったパケットであると識別された受信パケットの送信元のアドレス情報と、既に前記記憶手段に記憶されているアドレス情報とを比較する比較手段と、を有し、
前記比較手段による比較に応じて、前記記憶手段は受信パケットの送信元のアドレス情報を記憶することを特徴とするデータ処理装置。
【請求項３】
請求項２において、
前記制限手段による前記アクセス制限を有効または無効に切替える切替手段を有し、
前記記憶手段は、前記切替手段による切替えに係らず、前記比較手段による比較に応じて、受信パケットの送信元のアドレス情報を記憶することを特徴とするデータ処理装置。
【請求項４】
請求項１において、
前記設定手段は、前記データ処理装置と通信している情報処理装置からの指示に基づいて前記アドレス情報を設定することを特徴とするデータ処理装置。
【請求項５】
請求項１において、
前記制限手段は、受信パケットに含まれる送信元のアドレス情報と、前記設定手段により設定されたアドレス情報とに応じて、受信パケットを破棄もしくは受信パケットを受け付けることを特徴とするデータ処理装置。
【請求項６】
請求項１において、
前記記憶手段に記憶したアドレス情報を前記データ処理装置と通信している情報処理装置に通知する通知手段を有することを特徴とするデータ処理装置。
【請求項７】
請求項１において、
前記データ処理装置のネットワーク設定を実施した情報処理装置のアドレス情報を取得する取得手段を有し、
前記設定手段は、前記取得手段により取得した前記情報処理装置のアドレス情報を前記制限手段によりアクセス制限を行なう際に参照するアドレス情報として設定することを特徴とするデータ処理装置。
【請求項８】
請求項１において、
前記データ処理装置のネットワーク設定を行なう際に指定された中継装置のアドレス情報を取得する取得手段を有し、
前記設定手段は、前記取得手段により取得した前記中継装置のアドレス情報を前記制限手段によりアクセス制限を行なう際に参照するアドレス情報として設定することを特徴とするデータ処理装置。
【請求項９】
請求項１において、
前記所定のプロトコルは、印刷データを通信するためのプロトコルであることを特徴とするデータ処理装置。
【請求項１０】
データ処理装置において、
受信パケットに含まれるアドレス情報に基づいて、前記データ処理装置に対するアクセス制限を行なう制限手段と、
前記データ処理装置のネットワーク設定を実施した情報処理装置のアドレス情報を取得する取得手段と、
前記取得手段により取得したアドレス情報を、前記制限手段によりアクセス制限を行なう際に参照するアドレス情報として自動的に設定する設定手段と、
を有することを特徴とするデータ処理装置。
【請求項１１】
データ処理装置において、
受信パケットに含まれるアドレス情報に基づいて、前記データ処理装置に対するアクセス制限を行なう制限手段と、
前記データ処理装置のネットワーク設定を行なう際に指定された中継装置のアドレス情報を取得する取得手段と、
前記取得手段により取得したアドレス情報を、前記制限手段によりアクセス制限を行なう際に参照するアドレス情報として自動的に設定する設定手段と、
を有することを特徴とするデータ処理装置。
【請求項１２】
情報処理装置において、
受信パケットに含まれるアドレス情報に基づいてアクセス制限を行なうデータ処理装置から、所定のプロトコルに従ったパケットを送信する通信装置のアドレス情報を受信する受信手段と、
前記受信手段により受信したアドレス情報を表示するための表示手段と、
ユーザによる操作に基づいて、前記表示手段により表示した少なくとも１つのアドレス情報を、前記アクセス制限を行なう際に参照するアドレス情報として前記データ処理装置に通知する通知手段と、
を有することを特徴とする情報処理装置。
【請求項１３】
請求項１２において、
前記データ処理装置が前記アクセス制限を行なう際に参照するアドレス情報を設定するための設定手段を有し、
前記受信手段は、前記設定手段により前記設定を行なう際に、前記データ処理装置から前記アドレス情報を受信することを特徴とするデータ処理装置。
【請求項１４】
情報処理装置において、
受信パケットに含まれるアドレス情報に基づいてアクセス制限を行なうデータ処理装置のネットワーク設定を行なう設定手段と、
前記設定手段により前記データ処理装置のネットワーク設定を行なう際に、前記情報処理装置のアドレス情報を、前記アクセス制限を行なう際に参照するアドレス情報として前記データ処理装置に通知する通知手段と、
を有することを特徴とする情報処理装置。
【請求項１５】
データ処理装置においてアクセス制限を行なう際に参照するアドレス情報を設定する設定方法において、
所定のプロトコルに従った受信パケットを識別する識別工程と、
前記識別工程における識別に応じて、受信パケットの送信元のアドレス情報を記憶するための記憶工程と、
前記記憶工程において記憶されたアドレス情報を、前記データ処理装置が受信パケットに含まれるアドレス情報に基づいてアクセス制限を行なう際に参照するアドレス情報として設定する設定工程と、
を有することを特徴とする設定方法。
【請求項１６】
データ処理装置においてアクセス制限を行なう際に参照するアドレス情報を設定する設定方法において、
前記データ処理装置のネットワーク設定を実施した情報処理装置のアドレス情報を取得する取得工程と、
前記取得工程において取得したアドレス情報を、前記データ処理装置が受信パケットに含まれるアドレス情報に基づいてアクセス制限を行なう際に参照するアドレス情報として設定する設定工程と、
を有することを特徴とする設定方法。
【請求項１７】
データ処理装置においてアクセス制限を行なう際に参照するアドレス情報を設定する設定方法において、
前記データ処理装置のネットワーク設定を行なう際に指定された中継装置のアドレス情報を取得する取得工程と、
前記取得工程において取得したアドレス情報を、前記データ処理装置が受信パケットに含まれるアドレス情報に基づいてアクセス制限を行なう際に参照するアドレス情報として設定する設定工程と、
を有することを特徴とする設定方法。
【請求項１８】
情報処理装置の制御方法において、
受信パケットに含まれるアドレス情報に基づいてアクセス制限を行なうデータ処理装置から、所定のプロトコルに従ったパケットを送信する通信装置のアドレス情報を受信する受信工程と、
前記受信工程において受信したアドレス情報を表示するための表示工程と、
ユーザによる操作に基づいて、前記表示工程において表示した少なくとも１つのアドレス情報を、前記アクセス制限を行なう際に参照するアドレス情報として前記データ処理装置に通知する通知工程と、
を有することを特徴とする情報処理装置の制御方法。
【請求項１９】
情報処理装置の制御方法において、
受信パケットに含まれるアドレス情報に基づいてアクセス制限を行なうデータ処理装置のネットワーク設定を行なうための設定工程と、
前記設定工程において前記データ処理装置のネットワーク設定を行なう際に、前記情報処理装置のアドレス情報を、前記アクセス制限を行なう際に参照するアドレス情報として前記データ処理装置に通知する通知工程と、
を有することを特徴とする情報処理装置の制御方法。
【請求項２０】
データ処理装置において実行されるプログラムにおいて、
所定のプロトコルに従った受信パケットを識別する識別工程と、
前記識別工程における識別に応じて、受信パケットの送信元のアドレス情報を記憶するための記憶工程と、
前記記憶工程において記憶されたアドレス情報を、前記データ処理装置が受信パケットに含まれるアドレス情報に基づいてアクセス制限を行なう際に参照するアドレス情報として設定する設定工程と、
をデータ処理装置のコンピュータに実行させることを特徴とするプログラム。
【請求項２１】
データ処理装置において実行されるプログラムにおいて、
前記データ処理装置のネットワーク設定を実施した情報処理装置のアドレス情報を取得する取得工程と、
前記取得工程において取得したアドレス情報を、前記データ処理装置が受信パケットに含まれるアドレス情報に基づいてアクセス制限を行なう際に参照するアドレス情報として設定する設定工程と、
をデータ処理装置のコンピュータに実行させることを特徴とするプログラム。
【請求項２２】
データ処理装置において実行されるプログラムにおいて、
前記データ処理装置のネットワーク設定を行なう際に指定された中継装置のアドレス情報を取得する取得工程と、
前記取得工程において取得したアドレス情報を、前記データ処理装置が受信パケットに含まれるアドレス情報に基づいてアクセス制限を行なう際に参照するアドレス情報として設定する設定工程と、
をデータ処理装置のコンピュータに実行させることを特徴とするプログラム。
【請求項２３】
情報処理装置において実行されるプログラムにおいて、
受信パケットに含まれるアドレス情報に基づいてアクセス制限を行なうデータ処理装置から、所定のプロトコルに従ったパケットを送信する通信装置のアドレス情報を受信する受信工程と、
前記受信工程において受信したアドレス情報を表示するための表示工程と、
ユーザによる操作に基づいて、前記表示工程において表示した少なくとも１つのアドレス情報を、前記アクセス制限を行なう際に参照するアドレス情報として前記データ処理装置に通知する通知工程と、
を情報処理装置のコンピュータに実行させることを特徴とするプログラム。
【請求項２４】
情報処理装置において実行されるプログラムにおいて、
受信パケットに含まれるアドレス情報に基づいてアクセス制限を行なうデータ処理装置のネットワーク設定を行なうための設定工程と、
前記設定工程において前記データ処理装置のネットワーク設定を行なう際に、前記情報処理装置のアドレス情報を、前記アクセス制限を行なう際に参照するアドレス情報として前記データ処理装置に通知する通知工程と、
を情報処理装置のコンピュータに実行させることを特徴とするプログラム。
【手続補正２】
【補正対象書類名】明細書
【補正対象項目名】００１６
【補正方法】変更
【補正の内容】
【００１６】
本発明は、上記目的のうちの少なくとも１つを達成するために、データ処理装置において、受信パケットに含まれるアドレス情報に基づいて、前記データ処理装置に対するアクセス制限を行なう制限手段と、所定のプロトコルに従った受信パケットを識別する識別手段と、前記識別手段による識別に応じて、受信パケットの送信元のアドレス情報を記憶する記憶手段と、前記記憶手段に記憶されたアドレス情報を、前記制限手段によりアクセス制限を行なう際に参照するアドレス情報として設定する設定手段と、を有することを特徴とするデータ処理装置を提供する。
【手続補正３】
【補正対象書類名】明細書
【補正対象項目名】００１７
【補正方法】変更
【補正の内容】
【００１７】
また、データ処理装置において、受信パケットに含まれるアドレス情報に基づいて、前記データ処理装置に対するアクセス制限を行なう制限手段と、前記データ処理装置のネットワーク設定を実施した情報処理装置のアドレス情報を取得する取得手段と、前記取得手段により取得したアドレス情報を、前記制限手段によりアクセス制限を行なう際に参照するアドレス情報として自動的に設定する設定手段と、を有することを特徴とするデータ処理装を提供する。
【手続補正４】
【補正対象書類名】明細書
【補正対象項目名】００１８
【補正方法】変更
【補正の内容】
【００１８】
また、データ処理装置において、受信パケットに含まれるアドレス情報に基づいて、前記データ処理装置に対するアクセス制限を行なう制限手段と、前記データ処理装置のネットワーク設定を行なう際に指定された中継装置のアドレス情報を取得する取得手段と、前記取得手段により取得したアドレス情報を、前記制限手段によりアクセス制限を行なう際に参照するアドレス情報として自動的に設定する設定手段と、を有することを特徴とするデータ処理装置を提供する。
【手続補正５】
【補正対象書類名】明細書
【補正対象項目名】００１９
【補正方法】変更
【補正の内容】
【００１９】
また、情報処理装置において、受信パケットに含まれるアドレス情報に基づいてアクセス制限を行なうデータ処理装置から、所定のプロトコルに従ったパケットを送信する通信装置のアドレス情報を受信する受信手段と、前記受信手段により受信したアドレス情報を表示するための表示手段と、ユーザによる操作に基づいて、前記表示手段により表示した少なくとも１つのアドレス情報を、前記アクセス制限を行なう際に参照するアドレス情報として前記データ処理装置に通知する通知手段と、を有することを特徴とする情報処理装置を提供する。
【手続補正６】
【補正対象書類名】明細書
【補正対象項目名】００２０
【補正方法】変更
【補正の内容】
【００２０】
また、情報処理装置において、受信パケットに含まれるアドレス情報に基づいてアクセス制限を行なうデータ処理装置のネットワーク設定を行なう設定手段と、前記設定手段により前記データ処理装置のネットワーク設定を行なう際に、前記情報処理装置のアドレス情報を、前記アクセス制限を行なう際に参照するアドレス情報として前記データ処理装置に通知する通知手段と、を有することを特徴とする情報処理装置を提供する。
【手続補正７】
【補正対象書類名】明細書
【補正対象項目名】００２１
【補正方法】変更
【補正の内容】
【００２１】
また、データ処理装置においてアクセス制限を行なう際に参照するアドレス情報を設定する設定方法において、所定のプロトコルに従った受信パケットを識別する識別工程と、前記識別工程における識別に応じて、受信パケットの送信元のアドレス情報を記憶するための記憶工程と、前記記憶工程において記憶されたアドレス情報を、前記データ処理装置が受信パケットに含まれるアドレス情報に基づいてアクセス制限を行なう際に参照するアドレス情報として設定する設定工程と、を有することを特徴とする設定方法を提供する。
【手続補正８】
【補正対象書類名】明細書
【補正対象項目名】００２２
【補正方法】変更
【補正の内容】
【００２２】
また、データ処理装置においてアクセス制限を行なう際に参照するアドレス情報を設定する設定方法において、前記データ処理装置のネットワーク設定を実施した情報処理装置のアドレス情報を取得する取得工程と、前記取得工程において取得したアドレス情報を、前記データ処理装置が受信パケットに含まれるアドレス情報に基づいてアクセス制限を行なう際に参照するアドレス情報として設定する設定工程と、を有することを特徴とする設定方法を提供する。
【手続補正９】
【補正対象書類名】明細書
【補正対象項目名】００２３
【補正方法】変更
【補正の内容】
【００２３】
また、データ処理装置においてアクセス制限を行なう際に参照するアドレス情報を設定する設定方法において、前記データ処理装置のネットワーク設定を行なう際に指定された中継装置のアドレス情報を取得する取得工程と、前記取得工程において取得したアドレス情報を、前記データ処理装置が受信パケットに含まれるアドレス情報に基づいてアクセス制限を行なう際に参照するアドレス情報として設定する設定工程と、を有することを特徴とする設定方法を提供する。
【手続補正１０】
【補正対象書類名】明細書
【補正対象項目名】００２４
【補正方法】変更
【補正の内容】
【００２４】
また、情報処理装置の制御方法において、受信パケットに含まれるアドレス情報に基づいてアクセス制限を行なうデータ処理装置から、所定のプロトコルに従ったパケットを送信する通信装置のアドレス情報を受信する受信工程と、前記受信工程において受信したアドレス情報を表示するための表示工程と、ユーザによる操作に基づいて、前記表示工程において表示した少なくとも１つのアドレス情報を、前記アクセス制限を行なう際に参照するアドレス情報として前記データ処理装置に通知する通知工程と、を有することを特徴とする情報処理装置の制御方法を提供する。
【手続補正１１】
【補正対象書類名】明細書
【補正対象項目名】００２５
【補正方法】変更
【補正の内容】
【００２５】
また、情報処理装置の制御方法において、受信パケットに含まれるアドレス情報に基づいてアクセス制限を行なうデータ処理装置のネットワーク設定を行なうための設定工程と、前記設定工程において前記データ処理装置のネットワーク設定を行なう際に、前記情報処理装置のアドレス情報を、前記アクセス制限を行なう際に参照するアドレス情報として前記データ処理装置に通知する通知工程と、を有することを特徴とする情報処理装置の制御方法を提供する。
【手続補正１２】
【補正対象書類名】明細書
【補正対象項目名】００２６
【補正方法】変更
【補正の内容】
【００２６】
また、データ処理装置において実行されるプログラムにおいて、所定のプロトコルに従った受信パケットを識別する識別工程と、前記識別工程における識別に応じて、受信パケットの送信元のアドレス情報を記憶するための記憶工程と、前記記憶工程において記憶されたアドレス情報を、前記データ処理装置が受信パケットに含まれるアドレス情報に基づいてアクセス制限を行なう際に参照するアドレス情報として設定する設定工程と、をデータ処理装置のコンピュータに実行させることを特徴とするプログラムを提供する。
【手続補正１３】
【補正対象書類名】明細書
【補正対象項目名】００２７
【補正方法】変更
【補正の内容】
【００２７】
また、データ処理装置において実行されるプログラムにおいて、前記データ処理装置のネットワーク設定を実施した情報処理装置のアドレス情報を取得する取得工程と、前記取得工程において取得したアドレス情報を、前記データ処理装置が受信パケットに含まれるアドレス情報に基づいてアクセス制限を行なう際に参照するアドレス情報として設定する設定工程と、をデータ処理装置のコンピュータに実行させることを特徴とするプログラムを提供する。
【手続補正１４】
【補正対象書類名】明細書
【補正対象項目名】００２８
【補正方法】変更
【補正の内容】
【００２８】
また、データ処理装置において実行されるプログラムにおいて、前記データ処理装置のネットワーク設定を行なう際に指定された中継装置のアドレス情報を取得する取得工程と、前記取得工程において取得したアドレス情報を、前記データ処理装置が受信パケットに含まれるアドレス情報に基づいてアクセス制限を行なう際に参照するアドレス情報として設定する設定工程と、をデータ処理装置のコンピュータに実行させることを特徴とするプログラムを提供する。
【手続補正１５】
【補正対象書類名】明細書
【補正対象項目名】００２９
【補正方法】変更
【補正の内容】
【００２９】
また、情報処理装置において実行されるプログラムにおいて、受信パケットに含まれるアドレス情報に基づいてアクセス制限を行なうデータ処理装置から、所定のプロトコルに従ったパケットを送信する通信装置のアドレス情報を受信する受信工程と、前記受信工程において受信したアドレス情報を表示するための表示工程と、ユーザによる操作に基づいて、前記表示工程において表示した少なくとも１つのアドレス情報を、前記アクセス制限を行なう際に参照するアドレス情報として前記データ処理装置に通知する通知工程と、を情報処理装置のコンピュータに実行させることを特徴とするプログラムを提供する。
【手続補正１６】
【補正対象書類名】明細書
【補正対象項目名】００３０
【補正方法】変更
【補正の内容】
【００３０】
また、情報処理装置において実行されるプログラムにおいて、受信パケットに含まれるアドレス情報に基づいてアクセス制限を行なうデータ処理装置のネットワーク設定を行なうための設定工程と、前記設定工程において前記データ処理装置のネットワーク設定を行なう際に、前記情報処理装置のアドレス情報を、前記アクセス制限を行なう際に参照するアドレス情報として前記データ処理装置に通知する通知工程と、を情報処理装置のコンピュータに実行させることを特徴とするプログラムを提供する。